(57)【要約】      （修正有）【課題】インク硬化のために記録媒体が加熱されても、良好な印刷品質を維持することができるインクジェット記録装置を提供する。【解決手段】記録媒体Ｗに対し、キャリッジに搭載したインクジェットヘッド９を相対的に移動させながら、インクジェットヘッド９から紫外線硬化インクを吐出させて、記録媒体Ｗに描画を行う描画部と、キャリッジに搭載され、紫外線を照射させて記録媒体Ｗ上の紫外線硬化インクを硬化させる光照射部３４と、相対的に移動するインクジェットヘッド９に先行して記録媒体Ｗに臨み、紫外線の照射により昇温された記録媒体Ｗとの温度差が少なくなるように、記録媒体Ｗを予備加熱する予備加熱部３３と、を備える。【選択図】図２
2012166412.tif 000002
【特許請求の範囲】
【請求項１】
記録媒体に対し、キャリッジに搭載したインクジェットヘッドを相対的に移動させながら、前記インクジェットヘッドから活性エネルギー線硬化インクを吐出させて、前記記録媒体に描画を行う描画部と、
前記キャリッジに搭載され、活性エネルギー線を照射させて前記記録媒体上の前記活性エネルギー線硬化インクを硬化させる光照射部と、
相対的に移動する前記インクジェットヘッドに先行して前記記録媒体に臨み、前記記録媒体を予備加熱する予備加熱部と、を備えたことを特徴とするインクジェット記録装置。
【請求項２】
前記予備加熱部は、前記活性エネルギー線を照射させることで前記記録媒体を予備加熱することを特徴とする請求項１に記載のインクジェット記録装置。
【請求項３】
前記描画部は、前記インクジェットヘッドを主走査方向および副走査方向に相対的に移動させ、
前記予備加熱部は、前記記録媒体を副走査方向における少なくとも前記インクジェットヘッドの改行距離分、予備加熱することを特徴とする請求項２に記載のインクジェット記録装置。
【請求項４】
前記記録媒体上において、１の主走査により前記描画が行なわれる単位描画領域と、前記１の主走査により前記予備加熱が行なわれる単位加熱領域とが隣り合っていることを特徴とする請求項３に記載のインクジェット記録装置。
【請求項５】
前記予備加熱部が、前記キャリッジに搭載されていることを特徴とする請求項２または３に記載のインクジェット記録装置。
【請求項６】
前記光照射部と前記予備加熱部とは、一体に形成されていることを特徴とする請求項５に記載のインクジェット記録装置。
【請求項７】
前記光照射部と前記予備加熱部とは、副走査方向に延在する単一の光照射ランプで構成され、
前記光照射部による副走査方向の有効照射幅は、前記インクジェットヘッドのノズル列長に対応し、前記予備加熱部による副走査方向の有効照射幅は、少なくとも前記改行距離に対応していることを特徴とする請求項５に記載のインクジェット記録装置。
【請求項８】
前記光照射ランプは、前記光照射部を前記予備加熱部との間に挟みこむように副走査方向に延在し、前記記録媒体上の活性エネルギー線硬化インクを硬化させる補助照射部を、更に有していることを特徴とする請求項７に記載のインクジェット記録装置。
【請求項９】
前記活性エネルギー線が、所定の中心波長を有する紫外線であることを特徴とする請求項１ないし８のいずれかに記載のインクジェット記録装置。
【発明の詳細な説明】
【技術分野】
【０００１】
本発明は、活性エネルギー線硬化インクを吐出して記録媒体に描画を行なうインクジェット記録装置に関するものである。
【背景技術】
【０００２】
従来、この種インクジェット記録装置として、副走査方向に走査する印字媒体（記録媒体）と、主走査方向に走査し、紫外線硬化型インク（活性エネルギー線硬化インク）を記録媒体に吐出するインクジェット記録ヘッド（インクジェットヘッド）と、インクジェット記録ヘッドの主走査方向における両側に併設された紫外線照射装置と、を備えたものが知られている（特許文献１参照）。
この紫外線照射装置は、印字媒体の送り方向（副走査方向）における下流側に、インクジェット記録ヘッドより長く延在しており、インクジェット記録ヘッドを主走査させると、印字媒体に対して印字と紫外線の照射が行われる。すなわち、印字直後に着弾した紫外線硬化型インクの紫外線硬化が行われる。また、この動作と並行して、改行（主走査）後の印字された領域にも紫外線が照射される。これにより、紫外線硬化型インクを確実に硬化させるようになっている。
【先行技術文献】
【特許文献】
【０００３】
【特許文献１】特開２００４−１３２６号公報
【発明の概要】
【発明が解決しようとする課題】
【０００４】
ところで、紫外線の照射には、メタルハライドランプ等のＵＶランプや発光ダイオード（ＵＶＬＥＤ）が用いられるが、いずれを使用しても発熱により、記録媒体（印字媒体）を加熱することになる。
このため、上記した従来のインクジェット記録装置では、描画（印字）後においては、紫外線を照射することにより紫外線硬化型インクを確実に硬化させることができるが、同時に記録媒体を加熱することになる。この描画時においては、描画と紫外線照射がほぼ同時に行われるため、記録媒体が紫外線により加熱されて膨張する過程で描画が実施されることになる。このため、紫外線硬化型インクの着弾位置がずれる等、印刷品質が悪化する問題があった。
【０００５】
本発明は、インク硬化のために記録媒体が加熱されても、良好な印刷品質を維持することができるインクジェット記録装置を提供することを課題としている。
【課題を解決するための手段】
【０００６】
本発明のインクジェット記録装置は、記録媒体に対し、キャリッジに搭載したインクジェットヘッドを相対的に移動させながら、インクジェットヘッドから活性エネルギー線硬化インクを吐出させて、記録媒体に描画を行う描画部と、キャリッジに搭載され、活性エネルギー線を照射させて記録媒体上の活性エネルギー線硬化インクを硬化させる光照射部と、相対的に移動するインクジェットヘッドに先行して記録媒体に臨み、記録媒体を予備加熱する予備加熱部と、を備えたことを特徴とする。
【０００７】
この構成によれば、記録媒体は、描画および描画と同時に行われる活性エネルギー線の照射に先立って、予備加熱部によって描画前に加熱される。例えば、予備加熱は、活性エネルギー線の照射により昇温された記録媒体との温度差が少なくなるように加熱することが好ましい。このため、描画前と描画時の温度条件がほぼ等しくなるので、記録媒体が描画時にほとんど膨張することがなく、安定した描画を実施することができる。したがって、インク硬化のために記録媒体が加熱されても、良好な印刷品質を維持することができる。
特に、加熱により膨張する記録媒体や、１スキャンで記録媒体の延びが平衡に達する場合に有効である。
【０００８】
この場合、予備加熱部は、活性エネルギー線を照射させることで記録媒体を予備加熱することが好ましい。
【０００９】
この構成によれば、描画時における光照射部による加熱と同様の加熱条件で予備加熱することができるため、構造および制御を単純化することができる。
【００１０】
この場合、描画部は、インクジェットヘッドを主走査方向および副走査方向に相対的に移動させ、予備加熱部は、記録媒体を副走査方向における少なくとも改行距離分、予備加熱することが好ましい。
【００１１】
この構成によれば、１スキャンで描画される描画領域と、予備加熱される予備加熱領域とを一致させることができ、記録媒体を効率良く予備加熱することができる。
【００１２】
この場合、記録媒体上において、１の主走査により描画が行なわれる単位描画領域と、１の主走査により予備加熱が行なわれる単位加熱領域とが隣接していることが好ましい。
【００１３】
この構成によれば、予備加熱直後に描画動作に移行することができるため、記録媒体が冷却されてしまうことを防止することができ、記録媒体を効率良く予備加熱することができる。
【００１４】
この場合、予備加熱部が、キャリッジに搭載されていることが好ましい。
【００１５】
この構成によれば、予備加熱部を走査する専用の軸（移動機構）を設ける必要ないため、装置構成を単純化することができる。
【００１６】
この場合、光照射部と予備加熱部とは、一体に形成されていることが好ましい。
【００１７】
この構成によれば、記録媒体の予備加熱と、活性エネルギー線硬化インクの硬化を一つの装置で行うことができるため、装置構成の単純化とコストの削減とを行うことができる。
【００１８】
この場合、光照射部と予備加熱部とは、副走査方向に延在する単一の光照射ランプで構成され、光照射部による副走査方向の有効照射幅は、インクジェットヘッドのノズル列長に対応し、予備加熱部による副走査方向の有効照射幅は、少なくとも改行距離に対応していることが好ましい。
【００１９】
この構成によれば、１スキャンで描画する描画領域を、予め適切に予備加熱することができる。
【００２０】
この場合、光照射ランプは、光照射部を予備加熱部との間に挟みこむように副走査方向に延在し、記録媒体上の活性エネルギー線硬化インクを硬化させる補助照射部を、更に有していることが好ましい。
【００２１】
この構成によれば、描画後における描画領域の活性エネルギー線硬化インクを確実に硬化させることができる。特に、硬化特性の異なる各種の活性エネルギー線硬化インク（色違いも含む）を用いる場合に有用である。
【００２２】
この場合、活性エネルギー線が、所定の中心波長を有する紫外線であることが好ましい。
【図面の簡単な説明】
【００２３】
【図１】第１実施形態に係る描画装置の（ａ）は平面図であり、（ｂ）は側面図である。
【図２】第１実施形態に係る描画動作を模式的に示した説明図である。
【図３】第２実施形態に係る描画装置の（ａ）は平面図であり、（ｂ）は側面図である。
【図４】第２実施形態に係る描画動作を模式的に示した説明図である。
【発明を実施するための形態】
【００２４】
以下、添付した図面を参照して、本発明のインクジェット記録装置について説明する。このインクジェット記録装置は、いわゆるリール・ツー・リール形式で除給材される薄いフィルム状の記録媒体に対して、紫外線硬化インク（活性エネルギー線硬化インク）をインクジェットヘッドにより吐出することで、所望の画像等を印刷するものである。なお、以下の説明では、記録媒体の搬送方向をＸ軸方向とし、Ｘ軸方向に直交する方向をＹ軸方向と規定する。
【００２５】
図１に示すように、インクジェット記録装置１は、機台２と、ロール状に巻回された長尺の記録媒体Ｗを繰り出す繰出装置３と、印刷済みの記録媒体Ｗを巻き取る巻取装置４と、機台２上に配設され、給材された記録媒体Ｗを吸着セットするワークステージ５と、Ｘ軸方向に延在し、ワークステージ５を介して記録媒体ＷをＸ軸方向に間欠送りするＸ軸テーブル６と、Ｘ軸テーブル６を跨ぐようにＹ軸方向に架け渡されたＹ軸テーブル７と、Ｙ軸テーブル７に移動自在に搭載されたキャリッジ８と、キャリッジ８に搭載され、紫外線硬化インクを吐出して記録媒体Ｗに描画を行うインクジェットヘッド９と、キャリッジ８に搭載され、インクジェットヘッド９に先行して記録媒体Ｗに臨み記録媒体Ｗを予備加熱すると共に、描画後の記録媒体Ｗに紫外線を照射して紫外線硬化インクを硬化させる紫外線照射装置１０と、を備えている。なお、請求項にいう描画部は、Ｘ軸テーブル６、Ｙ軸テーブル７、キャリッジ８およびインクジェットヘッド９から構成されている。
【００２６】
また、インクジェット記録装置１は、インクジェットヘッド９に紫外線硬化インクを供給するインク供給装置（図示省略）と、インクジェットヘッド９の機能の保守および回復を図る保守装置（図示省略）と、インクジェット記録装置１を統括制御する制御装置１１と、を備えている。
【００２７】
このインクジェット記録装置１では、繰出装置３により繰り出された記録媒体Ｗをワークステージ５で吸着セットした後、Ｘ軸テーブル６によりワークステージ５を介して記録媒体ＷをＸ軸方向に間欠送り（副走査）すると共に、吸着セットされた記録媒体Ｗの描画可能領域に対し、キャリッジ８を往復動作（主走査）させながらインクジェットヘッド９から紫外線硬化インクを吐出して描画を行う。また、キャリッジ８に搭載された紫外線照射装置１０により、描画動作と並行して、描画前の一定領域を予備加熱すると共に、描画直後に紫外線を照射して紫外線硬化インクを硬化させるようになっている。
【００２８】
キャリッジ８に搭載された紫外線照射装置１０の動きに対応して、記録媒体Ｗには、１の主走査により描画前に予備加熱が行なわれる単位加熱領域と、１の主走査により描画が行なわれる単位描画領域とが設定されている。単位加熱領域と単位描画領域は、隣接しており、予備加熱直後に描画動作に移行することができるようになっている。すなわち、単位加熱領域は、予備加熱後、続く副走査により、インクジェットヘッド９により描画が行われる単位描画領域となる。なお、記録媒体Ｗは、連続的に供給可能なロール状のものに限定されるものではなく、枚葉の記録媒体Ｗを用いてもよい。
【００２９】
繰出装置３および巻取装置４は、機台２やワークステージ５を挟むようにしてＸ軸方向上流側および下流側にそれぞれ配設されている。記録媒体Ｗは、軽いテンションを付与された状態で繰出装置３から繰り出され、巻取装置４に巻き取られる。
【００３０】
ワークステージ５は、その表面に複数形成された孔（図示省略）を介して、繰出装置３から送られてきた記録媒体Ｗを吸着セットする。ワークステージ５の搬送（Ｘ軸）方向上流端部および下流端部には、送込ローラー１２と送出ローラー１３とが、それぞれ添設されている。なお、詳細な説明は省略するが、ワークステージ５に形成された複数の孔は、図外の真空吸引設備および圧縮エアー供給設備にそれぞれ連通している。
【００３１】
送込ローラー１２および送出ローラー１３は、それぞれ昇降可能に設けられた自由回転するニップローラーであり、Ｘ軸方向に並んで配設され、記録媒体Ｗを挟み込んで、ワークステージ５の上面に記録媒体Ｗを臨ませる。そして、ワークステージ５は、記録媒体Ｗを吸着セットした状態で、Ｘ軸テーブル６によりＸ軸方向（上流側から下流側）に間欠送りされる。
【００３２】
Ｘ軸テーブル６は、機台２上に配設され、Ｘ軸方向に延在する一対のＸ軸ガイドレール１４と、ワークステージ５をＸ軸ガイドレール１４に沿ってスライド自在に移動させるＸ軸移動機構１５と、を有している。Ｘ軸テーブル６は、往動（または復動）時には停止したキャリッジ８を、次の復動（または往動）までに、描画幅（改行距離）分、記録媒体ＷをＸ軸方向（副走査方向）の下流側に送る（改行送り）。
【００３３】
Ｙ軸テーブル７は、機台２をＹ軸方向に跨ぐように架け渡されたＹ軸ガイドレール１６と、キャリッジ８をＹ軸ガイドレール１６に沿ってスライド自在に移動させるＹ軸移動機構１７と、を有している。Ｙ軸テーブル７は、キャリッジ８を介してインクジェットヘッド９および紫外線照射装置１０をＹ軸方向（主走査方向）に往復動させる。
【００３４】
キャリッジ８は、インクジェットヘッド９および紫外線照射装置１０を搭載し、Ｘ軸方向上流側においてＹ軸ガイドレール１６にスライド自在に係合している。詳細は後述するが、紫外線照射装置１０は、一対の光照射ランプ３１，３１を有し、一対の光照射ランプ３１，３１は、インクジェットヘッド９のＹ軸方向における両側に配設された状態で、キャリッジ８に搭載されている。
【００３５】
インクジェットヘッド９は、複数の吐出ノズル２１が開口したノズル面２２を有し、ノズル面２２には、複数の吐出ノズル２１が等間隔で並んで構成された複数本のノズル列２３が、相互に平行に列設されている。このインクジェットヘッド９では、各ノズル列２３ごとに、異なる種類（色）の紫外線硬化インクを、それぞれ吐出するようになっている。
【００３６】
本実施形態では、いわゆる紫外線硬化型のインクを用いており、ノズル面２２には、クリアー（ＣＬ）、イエロー（Ｙ）、シアン（Ｃ）、マゼンタ（Ｍ）、ブラック（Ｋ）から成る複数本のノズル列２３が主走査方向（Ｙ軸方向）に順に配設されている。なお、紫外線硬化インクの色、色数および各色の配列は、その用途により任意に設定してよい。また、インクは、紫外線硬化型のものに限られず、赤外線硬化型や可視光硬化型等のインクであってもよい。
【００３７】
紫外線照射装置１０は、インクジェットヘッド９を挟むようにしてキャリッジ８に搭載された一対の光照射ランプ３１，３１を有している。各光照射ランプ３１は、複数の発光ダイオード（ＬＥＤ）３２がＸ軸方向に等間隔に並んだＬＥＤアレイで構成され、その照射面は、インクジェットヘッド９のノズル面２２より高い位置に配設されている。各光照射ランプ３１は、インクジェットヘッド９に先行して記録媒体Ｗに臨み、所定の中心波長を有する紫外線を照射させて記録媒体Ｗを予備加熱する予備加熱部３３と、描画直後の記録媒体Ｗに臨み紫外線を照射させて紫外線硬化インクを硬化させる光照射部３４と、をＸ軸方向（副走査方向に）に連ねて構成されている。なお、本実施形態では、各紫外線照射装置１０は、所定の中心波長を有する複数の発光ダイオード３２により構成されているが、水銀ランプやメタルハライドランプ等を用いてもよい。また、インクジェットヘッド９の主走査方向への移動における、往路のみ、もしくは復路のみで印刷を行う場合には、紫外線照射装置１０を片側の光照射ランプ３１のみで構成してもよい。
【００３８】
予備加熱部３３は、インクジェットヘッド９のＹ軸方向における両側に、且つインクジェットヘッド９（実質的には、ノズル列２３）より記録媒体Ｗの搬送方向上流側にはみ出して配設されている。また、予備加熱部３３による副走査方向の有効照射幅は、少なくともＸ軸テーブル６による記録媒体Ｗの間欠送り分（改行距離分）に対応するように設計されている。すなわち、予備加熱部３３は、１の主走査分の単位加熱領域に対し紫外線照射を行い、続く改行送りの後、この単位加熱領域が単位描画領域として、インクジェットヘッド９および光照射部３４に臨むようになっている。
【００３９】
予備加熱部３３は、キャリッジ８の主走査（往動あるいは復動）に伴い、描画前の記録媒体Ｗ上を走査され、続く光照射部３４による紫外線の照射により昇温される記録媒体Ｗとの温度差が少なくなるように記録媒体Ｗを加熱する。すなわち、予備加熱部３３は、その１の主走査による単位加熱領域（副走査方向における改行距離分）を、描画時における単位描画領域と同じ温度になるように描画前に予備加熱する。これにより、単位描画領域は、描画前と描画時の温度条件がほぼ等しくなるので、記録媒体Ｗが描画時にほとんど膨張することがなく、描画が実施される。なお、予備加熱部３３をＹ軸方向に十分に長く形成し、改行量に応じて点灯する発光ダイオード３２の数を調整するようにしてもよい。
【００４０】
光照射部３４は、インクジェットヘッド９のＹ軸方向における両側に併設されており、予備加熱部３３と一体に形成されている。また、光照射部３４による副走査方向の有効照射幅は、インクジェットヘッド９のノズル列２３長に対応するように設計されている。この場合、光照射部３４は、インクジェットヘッド９と共に主走査（往動または復動）することで、紫外線硬化インク吐出直後の記録媒体Ｗ上に臨み、１の主走査で描画が行われた単位描画領域に紫外線を照射して、記録媒体Ｗ上に吐出された紫外線硬化インクを硬化させる。すなわち、実施形態のものは、一対の光照射部３４を常時点灯としてインク硬化を実施し、複数回の主走査によってインク硬化のために必要な光量（積算光量）が得られるものとなっている。
【００４１】
次に、図２を参照して、一連の描画動作について説明する。まず、ホーム位置にあるキャリッジ８は、紫外線照射装置１０を駆動して発光ダイオード３２を点灯した状態で、Ｙ軸テーブル７によって主走査方向に往動すると共に、単位加熱領域に対して予備加熱を行う（図２（ａ）および（ｂ））。すなわち、１パス目は、予備加熱のみ行い、描画動作は行わない（空スキャン）。
【００４２】
そして、Ｘ軸テーブル６により記録媒体ＷをＸ軸方向に改行距離分副走査する（図２（ｃ））。次に、キャリッジ８をＹ軸テーブル７によって復動させる（２パス目）。この際、単位加熱領域は単位描画領域となり、単位描画領域では紫外線硬化インクの吐出が行われた直後、光照射部３４によって紫外線の照射が行われる。また、この動作と並行して、新たな単位加熱領域では予備加熱部３３により予備加熱が行われる（図２（ｄ））。そして、再度Ｘ軸テーブル６により記録媒体ＷをＸ軸方向に改行距離分副走査する。以上の工程を繰り返すことにより、記録媒体Ｗに対して描画が行われる。
【００４３】
以上の構成によれば、記録媒体Ｗは、予備加熱部３３によって描画前に加熱されるため、描画前と描画時の温度条件がほぼ等しくなるので、記録媒体Ｗが描画時にほとんど膨張することがなく、安定した描画を実施することができる。
【００４４】
次に、図３を参照して、本発明の第２実施形態に係るインクジェット記録装置１について説明する。なお、重複した記載を避けるべく、第１実施形態と異なる部分を主として説明する。このインクジェット記録装置１の紫外線照射装置１０は、各光照射ランプ３１が、上記の光照射部３４と、予備加熱部３３と、光照射部３４を予備加熱部３３との間に挟みこむように副走査方向に延在し、記録媒体Ｗ上の紫外線硬化インクを硬化させる補助照射部３５と、を有している。この場合も、光照射ランプ３１は、一連のＬＥＤアレイで構成されている。
【００４５】
補助照射部３５は、インクジェットヘッド９のＹ軸方向における両側に、且つインクジェットヘッド９（実質的には、ノズル列２３）より記録媒体Ｗの搬送方向下流側にはみ出して配設されている。また、補助照射部３５による副走査方向の有効照射幅は、少なくともＸ軸テーブル６による記録媒体Ｗの間欠送り分（改行距離分）に対応するように設計されている。補助照射部３５は、キャリッジ８の主走査（往動あるいは復動）により、描画後の記録媒体Ｗ上を走査することで、記録媒体Ｗ上に吐出された紫外線硬化インクを確実に硬化させる。この場合、補助照射部３５は、光照射部３４を補完するためのものであり、光照射部３４により、紫外線硬化インクが確実に硬化する場合には、これを消灯状態で主走査してもよい。
【００４６】
次に、図４を参照して、一連の描画動作について説明する。まず、ホーム位置にあるキャリッジ８は、Ｙ軸テーブル７によって主走査方向に往動すると共に、単位加熱領域に対して予備加熱を行う（図４（ａ）および（ｂ））。すなわち、１パス目は、予備加熱のみ行い、描画動作は行わない（空スキャン）。
【００４７】
そして、Ｘ軸テーブル６により記録媒体ＷをＸ軸方向に改行距離分副走査する（図４（ｃ））。次に、キャリッジ８をＹ軸テーブル７によって復動させる（２パス目）。この際、単位加熱領域は単位描画領域となり、単位描画領域では紫外線硬化インクの吐出が行われた直後、光照射部３４によって紫外線の照射が行われる。また、この動作と並行して、新たな単位加熱領域では予備加熱部３３により予備加熱が行われる（図４（ｄ））。
【００４８】
そして、キャリッジ８を往動（または復動）させる際に、最初に予備加熱された領域がインクジェットヘッド９を通過するまで上記工程を繰り返す。最初に予備加熱された領域がインクジェットヘッド９を通過した後の走査では、単位加熱領域は単位描画領域となり、単位描画領域では紫外線硬化インクの吐出が行われた直後、光照射部３４によって紫外線の照射が行われる。また、この動作と並行して、新たな単位加熱領域では予備加熱部３３により予備加熱が行われる。さらに、描画後における描画領域に対しては補助照射部３５により紫外線の照射が行われ、紫外線硬化インクの補完硬化が行われる（図４（ｅ）および（ｆ））。以上の工程を繰り返すことにより、記録媒体Ｗに対して描画が行われる。
最後に、キャリッジ８は、Ｙ軸テーブル７によって主走査方向に往（復）動すると共に、描画後の描画領域に対して、紫外線を照射する。すなわち、最終パスとなるｎパス目は、補完硬化のみ行い、描画動作は行わない（空スキャン）。
【００４９】
以上の構成によれば、記録媒体Ｗは、描画後に補助照射部３５によって、紫外線が照射されるため、紫外線硬化インクを確実に硬化させることができる。
特に硬化特性の異なる紫外線硬化インクを用いた場合や光照射部３４が汚れにより光量不足となった場合には、補助照射部３５が有効に機能する。
【００５０】
なお、本実施形態では、光照射部３４と予備加熱部３３が一体に形成されている場合について説明したが、光照射部３４と予備加熱部３３が別体として形成されていてもよい。また、予備加熱部３３がインクジェットヘッド８や光照射部３４と共通のキャリッジ８に搭載されている場合について説明したが、別のキャリッジ８に搭載されていてもよい。係る場合には、予備加熱部３３をＹ軸ガイドレール１６に沿って自在に移動させる予備加熱部移動機構を備えるようにする（図示省略）。
【符号の説明】
【００５１】
１…インクジェット記録装置  ６…Ｘ軸テーブル  ７…Ｙ軸テーブル  ８…キャリッジ  ９…インクジェットヘッド  ３３…予備加熱部  ３４…光照射部  ３５…補助照射部  Ｗ…記録媒体
【図１】
2012166412.tif 000003
【図２】
2012166412.tif 000004
【図３】
2012166412.tif 000005
【図４】
2012166412.tif 000006